(57)【要約】【課題】使用者に圧迫感や不快感を与えずに、脛保護部材を所定の位置に安定して保持でき、身体の脛部を確実に保護可能なサッカー用靴下構造を提供する。【解決手段】サッカー用のソックス本体１と、身体の脛部を保護するサッカー用の脛保護部材２と、を備え、ソックス本体１は、そのソックス本体１の前方側の裏面１ｂとその裏面１ｂに対面状に縫着されるカバー部材３とで包囲されると共に脛保護部材２が収納される上方開口状の収納ポケット部10を、備え、裏面１ｂと対面するカバー部材３の前面３ａの上端縁部31ａに面状ファスナーの雄雌61，62の一方を設け、他方を上記裏面１ｂのうち上記前面３ａの上端縁部31ａに対面する位置に設けて、脛保護部材２を収納した収納ポケット部10の上方開口部を開閉自在とした。【選択図】図２
0003157686.tif 000002
【実用新案登録請求の範囲】
【請求項１】
サッカー用のソックス本体（１）と、身体の脛部を保護するサッカー用の脛保護部材（２）と、を備え、
上記ソックス本体（１）は、該ソックス本体（１）の前方側の裏面（１ｂ）と該裏面（１ｂ）に対面状に縫着されるカバー部材（３）とで包囲されると共に上記脛保護部材（２）が収納される上方開口状の収納ポケット部（10）を、備え、
上記裏面（１ｂ）と対面する上記カバー部材（３）の前面（３ａ）の上端縁部（31ａ）に面状ファスナーの雄雌（61）（62）の一方を設け、他方を上記裏面（１ｂ）のうち上記前面（３ａ）の上記上端縁部（31ａ）に対面する位置に設けて、上記脛保護部材（２）を収納した上記収納ポケット部（10）の上方開口部（10ａ）を開閉自在としたことを特徴とするサッカー用靴下構造。
【請求項２】
サッカー用のソックス本体（１）と、身体の脛部を保護するサッカー用の脛保護部材（２）と、を備え、
上記ソックス本体（１）は、該ソックス本体（１）の前方側の裏面（１ｂ）と該裏面（１ｂ）に対面状に縫着されるカバー部材（３）とで包囲されると共に上記脛保護部材（２）が収納される上方開口状の収納ポケット部（10）を、備え、
上記裏面（１ｂ）と対面する上記カバー部材（３）の前面（３ａ）の上端縁部（31ａ）に面状ファスナーの雄雌（61）（62）の一方を設け、他方を上記収納ポケット部（10）に収納された上記脛保護部材（２）の内側面（２ｂ）のうち上記前面（３ａ）の上記上端縁部（31ａ）に対面する位置に設けて、上記収納ポケット部（10）に収納される上記脛保護部材（２）を、上記収納ポケット部（10）に着脱自在としたことを特徴とするサッカー用靴下構造。
【請求項３】
サッカー用のソックス本体（１）と、人体の脛部を保護するサッカー用の脛保護部材（２）と、を備え、
上記ソックス本体（１）は、該ソックス本体（１）の前方側の裏面（１ｂ）と該裏面（１ｂ）に対面状に縫着されるカバー部材（３）とで包囲されると共に上記脛保護部材（２）が収納される上方開口状の収納ポケット部（10）と、上記裏面（１ｂ）に上端（51）が縫着され該収納ポケット部（10）の上方開口部（10ａ）を覆う揺動片（５）と、を、備え、
身体と対面する上記カバー部材（３）の後面（３ｂ）の上端縁部（31ｂ）に面状ファスナーの雄雌（61）（62）の一方を設け、他方を上記カバー部材（３）の上記後面（３ｂ）の上記上端縁部（31ｂ）に対面する上記揺動片（５）の前面（５ａ）の下端縁部（52ａ）に設けて、上記揺動片（５）によって上記上方開口部（10ａ）を開閉自在としたことを特徴とするサッカー用靴下構造。
【考案の詳細な説明】
【技術分野】
【０００１】
本考案は、サッカー用靴下構造に関する。
【背景技術】
【０００２】
従来、サッカーをプレーする際に、他の選手との接触による衝撃の吸収や怪我を防止するために、身体の脛部を保護する脛保護部材がある。
このような、脛保護部材は、ソックス本体の弾性力を利用して身体の脛部に押し付けるように位置決めされていた。或いは、ゴムバンドを脚に巻設して脛部に固定していた（特許文献１参照）。
【先行技術文献】
【特許文献】
【０００３】
【特許文献１】実開平７−１３３８０号公報
【考案の概要】
【考案が解決しようとする課題】
【０００４】
しかし、身体の脛部に脛保護部材を当てて、ソックス本体で押さえるだけでは、プレー中に位置ズレしてしまうという問題があった。また、ゴムベルト部材を脚に巻設して脛保護部材を固定すると、ゴムベルト部材が身体の脚部に食い込んで圧迫し、プレーの妨げや、使用者に不快感を与えてしまうと言う問題があった。
【０００５】
そこで、本考案は、使用者に圧迫感や不快感を与えずに、脛保護部材を所定の位置に安定して保持でき、身体の脛部を確実に保護可能なサッカー用靴下構造の提供を目的とする。
【課題を解決するための手段】
【０００６】
本考案のサッカー用靴下構造は、サッカー用のソックス本体と、身体の脛部を保護するサッカー用の脛保護部材と、を備え、上記ソックス本体は、該ソックス本体の前方側の裏面と該裏面に対面状に縫着されるカバー部材とで包囲されると共に上記脛保護部材が収納される上方開口状の収納ポケット部を、備え、上記裏面と対面する上記カバー部材の前面の上端縁部に面状ファスナーの雄雌の一方を設け、他方を上記裏面のうち上記前面の上記上端縁部に対面する位置に設けて、上記脛保護部材を収納した上記収納ポケット部の上方開口部を開閉自在としたものである。
【０００７】
また、サッカー用のソックス本体と、身体の脛部を保護するサッカー用の脛保護部材と、を備え、上記ソックス本体は、該ソックス本体の前方側の裏面と該裏面に対面状に縫着されるカバー部材とで包囲されると共に上記脛保護部材が収納される上方開口状の収納ポケット部を、備え、上記裏面と対面する上記カバー部材の前面の上端縁部に面状ファスナーの雄雌の一方を設け、他方を上記収納ポケット部に収納された上記脛保護部材の内側面のうち上記前面の上記上端縁部に対面する位置に設けて、上記収納ポケット部に収納される上記脛保護部材を、上記収納ポケット部に着脱自在としたものである。
【０００８】
また、サッカー用のソックス本体と、人体の脛部を保護するサッカー用の脛保護部材と、を備え、上記ソックス本体は、該ソックス本体の前方側の裏面と該裏面に対面状に縫着されるカバー部材とで包囲されると共に上記脛保護部材が収納される上方開口状の収納ポケット部と、上記裏面に上端が縫着され該収納ポケット部の上方開口部を覆う揺動片と、を、備え、身体と対面する上記カバー部材の後面の上端縁部に面状ファスナーの雄雌の一方を設け、他方を上記カバー部材の上記後面の上記上端縁部に対面する上記揺動片の前面の下端部に設けて、上記揺動片によって上記上方開口部を開閉自在としたものである。
【考案の効果】
【０００９】
本考案のサッカー用靴下構造によれば、脛保護部材を、所定の位置（人体の脛部）に確実かつ容易に位置決めできると共に、脛保護部材の位置ズレを防止し、確実に脛部を保護できる。脛保護部材が身体に直接接触しない（カバー部材が介在する）ので、脛保護部材と身体との間で発生する汗による滑りを防止できると共に蒸れを防止でき、快適にプレーさせることができる。また、ゴムベルト部材を脚に巻設して脛保護部材を固定する必要がないため、ゴムベルト部材による使用者への圧迫感や不快感を無くすことができる。
【図面の簡単な説明】
【００１０】
【図１】本考案の第１の実施形態を示す斜視図である。
【図２】第１の実施形態を示す側面断面図である。
【図３】第１の実施形態の説明用断面図であり、（ａ）は第１の実施形態の収納ポケット部の開状態の説明用断面図であり、（ｂ）は図１のＡ−Ａ断面をもって示した説明用断面図である。
【図４】第２の実施形態を示す側面断面図である。
【図５】脛保護部材の一例を示す横断面図である。
【図６】図４のＢ−Ｂ断面図である。
【図７】第３の実施形態を示す側面断面図である。
【図８】第３の実施形態の説明用断面図であり、（ａ）は第３の実施形態の面状ファスナー離間状態の説明用断面図であり、（ｂ）は図７のＣ−Ｃ断面をもって示した説明用断面図である。
【考案を実施するための形態】
【００１１】
以下、図示の実施の形態に基づき本考案を詳説する。
図１に示すように、本考案の第１の実施形態のサッカー用靴下構造は、サッカー用のソックス（靴下）本体１と、身体の脛部を保護するための横断面円弧状の脛保護部材２と、を備えている。ソックス本体１は、吸水性や速乾性が良く、柔軟性を有する織物である。脛保護部材２は、外側面２ａ側に硬質プラスチック等の剛性を有する保護部材を有し、内側面２ｂ側にスポンジ状の緩衝部材を有している。
【００１２】
図２と図３に示すように、ソックス本体１内に、身体の脛部に対応する前方側の裏面１ｂにカバー部材３を配設している。カバー部材３は、ソックス本体１の前方側の裏面１ｂに、左右側端及び下端32が縫着されている。ソックス本体１は、カバー部材３の前面３ａと、カバー部材３と対面するソックス本体１の裏面１ｂとで包囲される上方開口状の収納ポケット部10を備えている。
【００１３】
収納ポケット部10の深さ寸法Ｈは、脛保護部材２の上下方向長さ寸法ｈより長く（深く）形成している。つまり、収納ポケット部10に脛保護部材２を収納した収納状態において、カバー部材３の上端31が、脛保護部材２の上端21よりも上方位置となるように形成している。なお、カバー部材３は、吸水性や速乾性が良く、柔軟性を有する布生地又は織物である。
【００１４】
裏面１ｂと対面するカバー部材３の前面３ａの上端縁部31ａに、面状ファスナーの雄雌61，62の一方を設けている。また、面状ファスナーの雄雌61，62の他方を、裏面１ｂのうち、カバー部材３の前面３ａの上端縁部31ａと対面する位置に設けている。図２及び図３に於ては、カバー部材３に面状ファスナーの雄61を設け、裏面１ｂに面状ファスナーの雌62を設けている。
【００１５】
以下、第１の実施の形態の使用法（作用）について説明する。
図３（ａ）に示すように、収納ポケット部10に脛保護部材２が収納される。そして、カバー部材３の上端31をソックス本体１の前方側の裏面１ｂに接近させる。すると、図２及び図３（ｂ）に示すようにカバー部材３に設けられた面状ファスナーの雄61が、裏面１ｂの面状ファスナーの雌62に係合する。脛保護部材２の上方位置で、面状ファスナーの雄雌61，62が係合して、収納ポケット部10の上方開口部10を閉状態とする。
【００１６】
脛保護部材２は、ソックス本体１の裏面１ｂ及びカバー部材３の前面３ａによって、上下、前後、左右が包囲され、身体の脛部の前方位置に、確実に位置決めされる。
また、カバー部材３が、人体の脛部と脛保護部材２の内側面２ｂの間に発生する汗を吸水し、滑りや蒸れを軽減する。また、他者との接触による外部からの衝撃を緩和する。
【００１７】
また、収納ポケット部10の上方開口部10ａを閉状態とすることで、ソックス本体１から足を抜く際に、脛保護部材２が収納ポケット部10から抜けるのを防止できる。つまり、脛保護部材２を収納したままでソックス本体１を容易に脱ぐことを可能にする。また、脛保護部材２を収納ポケット部10に収納させ、その後、ソックス本体１に足を差し込む際に、足の指等が誤って収納ポケット部10に差し込まれるのを防止する。つまり、脛保護部材２を収納したままで、ソックス本体１を容易に履くことを可能にする。また、ソックス本体１に身体の足を挿入していても、していなくとも、上方開口部10ａの開閉を可能とし、かつ、収納ポケット部10に脛保護部材２を抜き差し可能とする。
【００１８】
また、カバー部材３の上端31をソックス本体１の前方側の裏面１ｂから離間させれば、収納ポケット部10の上方開口部10ａが開状態となって、容易に脛保護部材２を収納ポケット部10から上方へ引き抜くように取り出せる。面状ファスナーの雄雌61，62の係合・離間によって、上方開口部10ａを開閉自在としている。
【００１９】
次に第２の実施形態について説明する。
ソックス本体１と、脛保護部材２と、を備えている。そして、ソックス本体１は収納ポケット部10を備えている。
図４乃至図６に示すように、収納ポケット部10の深さ寸法Ｈは、脛保護部材２の上下方向長さ寸法ｈと同等に形成している。つまり、収納ポケット部10に脛保護部材２を収納した収納状態において、カバー部材３の上端31が、脛保護部材２の上端21と同等の高さ位置となるように形成している。
【００２０】
カバー部材３の前面３ａの上端縁部31ａに、面状ファスナーの雄雌61，62の一方を設けている。また、面状ファスナーの雄雌61，62の他方を、収納ポケット部10に収納された脛保護部材２の内側面２ｂの上端縁部21ｂ（カバー部材３の前面３ａの上端縁部31ａに対面する位置）に設けている。図４乃至図６に於ては、カバー部材３に面状ファスナーの雄61を設け、脛保護部材２に面状ファスナーの雌62を設けている。
【００２１】
以下、第２の実施形態の使用法（作用）について説明する。
収納ポケット部10に脛保護部材２が収納される。そして、カバー部材３の上端31をソックス本体１の前方側の裏面１ｂに接近させる。すると、図２及び図３（ｂ）に示すようにカバー部材３に設けられた面状ファスナーの雄61が、裏面１ｂの面状ファスナーの雌62に係合する。収納ポケット部10に脛保護部材２を取着状態（固定状態）とする。
【００２２】
脛保護部材２は、ソックス本体１及びカバー部材３によって、前後左右の移動が規制され、かつ、面状ファスナーの雄雌61，62の係合によって上方への移動が阻止され、身体の脛部の前方位置に、確実に位置決めされる。
また、カバー部材３が、人体の脛部と脛保護部材２の内側面２ｂの間に発生する汗を吸水し、滑りや蒸れを軽減する。また、他者との接触による外部からの衝撃を緩和する。
【００２３】
また、収納ポケット部10に脛保護部材２を取着状態とすることで、ソックス本体１から足を抜く際に、脛保護部材２が収納ポケット部10から抜けるのを防止できる。つまり、脛保護部材２を収納したままでソックス本体１を容易に脱ぐことを可能にする。また、脛保護部材２を収納ポケット部10に収納させ、その後、ソックス本体１に足を差し込む際に、足の指等が誤って収納ポケット部10に差し込まれるのを防止する。つまり、脛保護部材２を取着（収納）したままで、ソックス本体１を容易に履くことを可能にする。また、ソックス本体１に身体の足を挿入していても、していなくとも、上方開口部10ａの開閉を可能とし、かつ、収納ポケット部10に脛保護部材２を抜き差し可能とする。
【００２４】
また、カバー部材３の上端31を脛保護部材２の上端21から離間させれば、収納ポケット部10から脛保護部材２が離脱状態となって、容易に脛保護部材２を収納ポケット部10から上方へ引き抜くように取り出せる。面状ファスナーの雄雌61，62の係合・離間によって、脛保護部材２を収納ポケット部10に着脱自在としている。
【００２５】
次に第３の実施形態について説明する。
ソックス本体１と、脛保護部材２と、を備えている。そして、ソックス本体１は収納ポケット部10を備えている。
図７及び図８に示すように、収納ポケット部10の深さ寸法Ｈは、脛保護部材２の上下方向長さ寸法ｈと同等に形成している。つまり、収納ポケット部10に脛保護部材２を収納した収納状態において、カバー部材３の上端31が、脛保護部材２の上端21と同等の高さ位置となるように形成している。なお、図示省略するが、深さ寸法Ｈを上下方向長さ寸法ｈより短く（浅く）なるようにカバー部材３を設けても良い。
【００２６】
また、収納ポケット部10の上方位置のソックス本体１の裏面１ｂに上端51が縫着され、かつ、自然状態で収納ポケット部10の上方開口部10ａを覆う揺動片５を、ソックス本体１の内部に設けている。揺動片５は、吸水性や速乾性が良く、柔軟性を有する布生地又は織物である。
【００２７】
そして、身体と対面するカバー部材３の後面３ｂの上端縁部31ｂに面状ファスナーの雄雌61，62の一方を設けている。面状ファスナーの雄雌61，62の他方を、揺動片５の前面５ａの下端縁部52ａ（カバー部材３の後面３ｂの上端縁部31ｂに対面する位置）に設けている。図７及び図８に於ては、カバー部材３に面状ファスナーの雌62を設け、揺動片５に面状ファスナーの雄61を設けている。
【００２８】
以下、第３の実施形態の使用法（作用）について説明する。
図８（ａ）に示すように、収納ポケット部10に脛保護部材２が収納される。そして、揺動片５の下端52をカバー部材３の後面３ｂに接近させる。すると、図７及び図８（ｂ）に示すように揺動片５に設けられた面状ファスナーの雄61が、カバー部材３の面状ファスナーの雌62に係合する。収納ポケット部10の上方開口部10ａを施蓋状に覆って閉状態にする。
【００２９】
脛保護部材２は、ソックス本体１及びカバー部材３によって前後左右の移動が阻止され、かつ、揺動片５によって上方への移動が阻止され、身体の脛部の前方位置に、確実に位置決めされる。また、カバー部材３が、身体の脛部と脛保護部材２の内側面２ｂの間に発生する汗を吸水し、滑りや蒸れを軽減する。また、他者との接触による外部からの衝撃を緩和する。
【００３０】
また、上方開口部10ａが施蓋状に覆われて閉状態となることで、ソックス本体１から足を抜く際に、脛保護部材２が収納ポケット部10から抜けるのを防止できる。つまり、脛保護部材２を収納したままでソックス本体１を容易に脱ぐことを可能にする。また、脛保護部材２を収納ポケット部10に収納させ、その後、ソックス本体１に足を差し込む際に、足の指等が誤って収納ポケット部10に差し込まれるのを防止する。つまり、脛保護部材２を収納したままで、ソックス本体１を容易に履くことを可能にする。また、ソックス本体１に身体の足を挿入していても、していなくとも、上方開口部10ａの開閉を可能とし、かつ、収納ポケット部10に脛保護部材２を抜き差し可能とする。
【００３１】
また、揺動片５の下端52を、カバー部材３の上端31から離間させると共に上方へ揺動させると、揺動片５による施蓋状態が解除され、上方開口部10ａを開状態にし、脛保護部材２を上方へ引き抜くように容易に取り出せる。面状ファスナーの雄雌61，62の係合・離間によって、揺動片５を揺動自在（上方開口部10ａへの施蓋状態・施蓋解除状態の切換可能）とし、揺動片５によって上方開口部10ａを開閉自在としている。
【００３２】
なお、本考案に於て、カバー部材３の前面３ａ及び揺動片５の前面５ａとは、ソックス本体１に身体の足を挿入した使用状態に於て、他の選手との接触によって衝撃を受ける側の面である。裏面１ｂ、内側面２ｂ、後面３ｂ、とは、上記使用状態に於て、身体と対面する側の面である。また、面状ファスナーの雄雌を実際よりも厚く図示している。
【００３３】
なお、本考案は設計変更可能であって、上述した実施形態は、面状ファスナーの雄雌片の一方又は他方を、揺動片５に縫着した場合を図示しているが、揺動片５を面状ファスナーの雄雌の一方又は他方から成るように構成しても良い。
【００３４】
以上のように、本考案は、サッカー用のソックス本体１と、身体の脛部を保護するサッカー用の脛保護部材２と、を備え、ソックス本体１は、ソックス本体１の前方側の裏面１ｂと裏面１ｂに対面状に縫着されるカバー部材３とで包囲されると共に脛保護部材２が収納される上方開口状の収納ポケット部10を、備え、裏面１ｂと対面するカバー部材３の前面３ａの上端縁部31ａに面状ファスナーの雄雌61，62の一方を設け、他方を裏面１ｂのうち前面３ａの上端縁部31ａに対面する位置に設けて、脛保護部材２を収納した収納ポケット部10の上方開口部10ａを開閉自在としたので、脛保護部材２を、所定の位置（人体の脛部）に確実かつ容易に位置決めできると共に、脛保護部材２の位置ズレを防止し、確実に脛部を保護できる。脛保護部材２が身体に直接接触しない（カバー部材３が介在する）ので、脛保護部材２と身体との間で発生する汗による滑りを防止できると共に蒸れを防止でき、快適にプレーさせることができる。また、ゴムベルト部材を脚に巻設して脛保護部材２を固定する必要がないため、ゴムベルト部材による使用者への圧迫感や不快感を無くすことができる。また、脛保護部材２を収納ポケット部10に収納したままで、ソックス本体１に足を容易かつ迅速に抜き差しでき、脛保護部材２を身体に対して着脱する時間や手間を軽減できる。
【００３５】
また、サッカー用のソックス本体１と、身体の脛部を保護するサッカー用の脛保護部材２と、を備え、ソックス本体１は、ソックス本体１の前方側の裏面１ｂと裏面１ｂに対面状に縫着されるカバー部材３とで包囲されると共に脛保護部材２が収納される上方開口状の収納ポケット部10を、備え、裏面１ｂと対面するカバー部材３の前面３ａの上端縁部31ａに面状ファスナーの雄雌61，62の一方を設け、他方を収納ポケット部10に収納された脛保護部材２の内側面２ｂのうち前面３ａの上端縁部31ａに対面する位置に設けて、収納ポケット部10に収納される脛保護部材２を、収納ポケット部10に着脱自在としたので、脛保護部材２を、所定の位置（人体の脛部）に確実かつ容易に位置決めできると共に、脛保護部材２の位置ズレを防止し、確実に脛部を保護できる。脛保護部材２が身体に直接接触しない（カバー部材３が介在する）ので、脛保護部材２と身体との間で発生する汗による滑りを防止できると共に蒸れを防止でき、快適にプレーさせることができる。また、ゴムベルト部材を脚に巻設して脛保護部材２を固定する必要がないため、ゴムベルト部材による使用者への圧迫感や不快感を無くすことができる。また、脛保護部材２を収納ポケット部10に収納したままで、ソックス本体１に足を容易かつ迅速に抜き差しでき、脛保護部材２を身体に対して着脱する時間や手間を軽減できる。
【００３６】
また、サッカー用のソックス本体１と、人体の脛部を保護するサッカー用の脛保護部材２と、を備え、ソックス本体１は、ソックス本体１の前方側の裏面１ｂと裏面１ｂに対面状に縫着されるカバー部材３とで包囲されると共に脛保護部材２が収納される上方開口状の収納ポケット部10と、裏面１ｂに上端51が縫着され収納ポケット部10の上方開口部10ａを覆う揺動片５と、を、備え、身体と対面する上記カバー部材３の後面３ｂの上端縁部31ｂに面状ファスナーの雄雌61，62の一方を設け、他方をカバー部材３の後面３ｂの上端縁部31ｂに対面する揺動片５の前面５ａの下端縁部52ａに設けて、揺動片５によって上方開口部10ａを開閉自在としたので、脛保護部材２を、所定の位置（人体の脛部）に確実かつ容易に位置決めできると共に、脛保護部材２の位置ズレを防止し、確実に脛部を保護できる。脛保護部材２が身体に直接接触しない（カバー部材３が介在する）ので、脛保護部材２と身体との間で発生する汗による滑りを防止できると共に蒸れを防止でき、快適にプレーさせることができる。また、ゴムベルト部材を脚に巻設して脛保護部材２を固定する必要がないため、ゴムベルト部材による使用者への圧迫感や不快感を無くすことができる。また、脛保護部材２を収納ポケット部10に収納したままで、ソックス本体１に足を容易かつ迅速に抜き差しでき、脛保護部材２を身体に対して着脱する時間や手間を軽減できる。
【符号の説明】
【００３７】
１  ソックス本体
１ｂ  （ソックス本体の）裏面
２  脛保護部材
２ｂ  （脛保護部材の）内側面
３  カバー部材
３ａ  （カバー部材の）前面
３ｂ  （カバー部材の）後面
５  揺動片
５ａ  （揺動片の）前面
10  収納ポケット部
10ａ  上方開口部
31ａ  （カバー部材の前面の）上端縁部
31ｂ  （カバー部材の後面の）上端縁部
51  （揺動片の）上端
52ａ  （揺動片の前面の）下端縁部
61，62    面状ファスナーの雄雌
【図１】
0003157686.tif 000003
【図２】
0003157686.tif 000004
【図３】
0003157686.tif 000005
【図４】
0003157686.tif 000006
【図５】
0003157686.tif 000007
【図６】
0003157686.tif 000008
【図７】
0003157686.tif 000009
【図８】
0003157686.tif 000010